(57)【要約】【課題】手摺り部の交換要請が生じた場合であっても、資源の無駄を省くことが可能な新規なベッド側柵の手摺り部取付構造を得る。【解決手段】ベッド本体の側部に取り付けられるベッド側柵１１に対し、利用者によって把持される手摺り部２７を、部分的に交換可能に設ける。具体的には、ベッド側柵１１は、ベッド本体側部から起立する少なくとも一対の支柱部１５ａ，１５ｂと、各支柱部１５ａ，１５ｂにおける上端にそれぞれ設けられる取付ブラケット２３ａ，２３ｂと、取付ブラケット２３ａ，２３ｂを介して一対の支柱部１５ａ，１５ｂ間を連結する手摺り部２７と、取付部を覆う化粧カバー３１ａ，３１ｂと、を備える。【選択図】図２
2010246735.tif 000002
【特許請求の範囲】
【請求項１】
ベッド本体の側部に取り付けられるベッド側柵に対し、利用者によって把持される手摺り部を、部分的に交換可能に設けた、
ことを特徴とするベッド側柵の手摺り部取付構造。
【請求項２】
請求項１記載のベッド側柵の手摺り部取付構造であって、
前記ベッド側柵は、前記ベッド本体側部から起立する少なくとも一対の支柱部と、前記各支柱部における上端にそれぞれ設けられる取付ブラケットと、前記取付ブラケットを介して一対の支柱部間を連結する前記手摺り部と、前記取付部を覆うカバーと、を備える、
ことを特徴とするベッド側柵の手摺り部取付構造。
【請求項３】
請求項１又は２記載のベッド側柵の手摺り部取付構造であって、
前記手摺り部には、見映え又は握り易さのうち少なくともいずれかの観点に基づく形態が施されている、
ことを特徴とするベッド側柵の手摺り部取付構造。
【発明の詳細な説明】
【技術分野】
【０００１】
本発明は、例えば介護用などのベッド側部に取り付けられるベッド側柵に係り、特に、手摺り部の交換要請が生じた場合に、ベッド側柵に対して手摺り部を部分的に交換することによって、資源の無駄を省くことが可能な新規なベッド側柵の手摺り部取付構造に関する。
【背景技術】
【０００２】
近年の高齢化や核家族化の進展等によって、要介護者を社会全体で支える仕組みとして介護保険制度が導入された。この介護保険制度の施行に伴って、自宅又は介護施設等において介護用ベッドを利用する機会が増大してきている。
【０００３】
こうした介護用ベッドでは、要介護者のベッドからの転落防止などの目的で、ベッドの側部に側柵を着脱可能に設けたものが知られている（例えば特許文献１参照）。
【０００４】
ここで、介護用ベッドの利用実態に言及すると、例えば、家庭内に設置される介護用ベッドでは、レンタルでの利用が大半を占めている。すなわち、ひとつの介護用ベッドが、各自所要の利用期間を経て、複数の要介護者に順次利用されるといった利用実態がある。
【０００５】
一方で、我が国における昨今の清潔志向の流れを受けて、レンタル用のベッドにおいて、要介護者の手指が頻繁に触れるベッド側柵の手摺り部などを、利用者が代替わりする毎に交換して欲しい、といった利用者側の強い要望がある。
【０００６】
しかしながら、従来のベッド側柵では、手摺り部が側柵部それ自体と一体的に形成されていた。このため、手摺り部を交換しようとすると、ベッド側柵全体を交換しなければならず、資源の無駄を省く観点から改良の余地があった。
【特許文献１】特開２０００−１２６２４８号公報
【発明の開示】
【発明が解決しようとする課題】
【０００７】
解決しようとする問題点は、従来技術では、手摺り部を交換しようとすると、ベッド側柵全体を交換しなければならず、資源の無駄を省く観点から改良の余地があった点である。
【課題を解決するための手段】
【０００８】
本発明に係るベッド側柵の手摺り部取付構造は、ベッド本体の側部に取り付けられるベッド側柵に対し、利用者によって把持される手摺り部を、部分的に交換可能に設けた、ことを最も主要な特徴とする。
【発明の効果】
【０００９】
従来技術では、手摺り部を交換しようとすると、ベッド側柵全体を交換しなければならず、資源の無駄を省く観点から改良の余地があった。そこで、本発明に係るベッド側柵の手摺り部取付構造では、ベッド本体の側部に取り付けられるベッド側柵に対し、利用者によって把持される手摺り部を、部分的に交換可能に設ける構成を採用することとした。
【００１０】
従って、手摺り部の交換要請が生じた場合には、ベッド側柵に対して手摺り部を部分的に交換することによって、資源の無駄を省くことが可能な新規なベッド側柵の手摺り部取付構造を実現することができる。
【図面の簡単な説明】
【００１１】
【図１】図１は、本発明実施例に係るベッド側柵の全体を示す概略構成図である。
【図２】図２は、本発明実施例に係るベッド側柵の手摺り部取付構造を示す説明図である。
【発明を実施するための形態】
【００１２】
手摺り部の交換要請が生じた場合であっても、資源の無駄を省くことが可能な新規なベッド側柵の手摺り部取付構造を得るといった目的を、ベッド本体の側部に取り付けられるベッド側柵に対し、利用者によって把持される手摺り部を、部分的に交換可能に設け、手摺り部の交換要請が生じた場合には、ベッド側柵に対して手摺り部を部分的に交換するベッド側柵の手摺り部取付構造によって実現した。
【実施例】
【００１３】
以下、本発明実施例に係るベッド側柵の手摺り部取付構造について、図面を参照しつつ詳細に説明する。
【００１４】
図１は、本発明実施例に係るベッド側柵の全体を示す概略構成図、図２は、本発明実施例に係るベッド側柵の手摺り部取付構造を示す説明図である。
【００１５】
図１に示すように、本発明実施例に係るベッド側柵１１は、例えば要介護者が身体を横たえる介護用ベッド本体のサイドフレーム（側部）に設けてある取り付け穴（不図示）に、差し込み式に着脱自在に取り付けられる。ベッド側柵１１は、例えば、断面が円筒形状の金属製パイプを適宜曲げ成形する等によって構成される。
【００１６】
ベッド側柵１１は、前記取り付け穴に差し込み式に挿入される、例えば金属製の一対の支持脚部１３ａ，１３ｂと、上側が開放した略Ｕ字形状の第１枠部１５と、第１枠部１５に隣接して、回動軸１７回りに回動自在に取り付けられる第２枠部１９と、を備えて構成されている。
【００１７】
例えば金属製の第１枠部１５は、縦方向に延びる一対の第１支柱部１５ａ，１５ｂと、一対の第１支柱部１５ａ，１５ｂにおける下端間を横方向に延びて連結する第１基枠部１５ｃと、一対の第１支柱部１５ａ，１５ｂにおける中間部分の間を横方向に延びて連結する一対の第１サイドバー１５ｄと、を備えて構成されている。
【００１８】
第１枠部１５に隣接する連結部２１に対して回動軸１７回りに回動自在に取り付けられる第２枠部１９は、縦方向に延びる一対の第２支柱部１９ａ，１９ｂと、一対の第２支柱部１９ａ，１９ｂにおける下端間を横方向に延びて連結する第２基枠部１９ｃと、一対の第２支柱部１９ａ，１９ｂにおける中間部分の間を横方向に延びて連結する第２サイドバー１９ｄと、を備えて構成されている。
【００１９】
一対の第１支柱部１５ａ，１５ｂにおける上端面のそれぞれには、その横断面が略Ｌ字形状の金属製の取付ブラケット２３ａ，２３ｂが溶接等の締結手段によって固着されている。各取付ブラケット２３ａ，２３ｂには、次述するボルトの挿通用の通孔２５ａ，２５ｂがそれぞれ開設されている。
【００２０】
一対の第１支柱部１５ａ，１５ｂにおける上端の間を連結するために、各取付ブラケット２３ａ，２３ｂの間には、第１手摺り部２７が、通孔２５ａ，２５ｂを通してボルト２９ａ，２９ｂによって締結固定されている。
【００２１】
この取付部を覆うために、各取付ブラケット２３ａ，２３ｂには、例えば樹脂製の化粧カバー３１ａ，３１ｂが、例えばはめ込み式に装着されている。
【００２２】
上述と同様に、一対の第２支柱部１９ａ，１９ｂにおける上端の間には、第２手摺り部３３が取り付けられており、その取付部を覆うために、各取付ブラケットには、例えば樹脂製の化粧カバー３５ａ，３５ｂが装着されている。
【００２３】
仮に、見映え又は握り易さの観点から、手摺り部２７の交換要請が生じた場合には、各取付ブラケット２３ａ，２３ｂに装着されている化粧カバー３１ａ，３１ｂをそれぞれ取り外した後、ボルト２９ａ，２９ｂによる機械的な結合力を解くことによって、手摺り部２７を部分的に取り外す。その後、交換対象となる手摺り部２７を、前述の取り外し手順とは逆の手順をもって、一対の第１支柱部１５ａ，１５ｂにおける上端の間を連結するように取り付けた後、その取付部を覆うために、各取付ブラケット２３ａ，２３ｂに対して化粧カバー３１ａ，３１ｂをそれぞれ装着する。
【００２４】
前述した従来技術では、手摺り部２７を交換しようとすると、ベッド側柵１１全体を交換しなければならず、資源の無駄を省く観点から改良の余地があった。そこで、本発明実施例に係るベッド側柵１１の手摺り部取付構造では、ベッド本体の側部に取り付けられるベッド側柵１１に対し、利用者によって把持される手摺り部２７を、部分的に交換可能に設ける構成を採用することとした。
【００２５】
従って、手摺り部２７の交換要請が生じた場合には、ベッド側柵１１に対して手摺り部２７を部分的に交換することによって、資源の無駄を省くことが可能な新規なベッド側柵の手摺り部取付構造を実現することができる。
【００２６】
なお、本発明実施例に係るベッド側柵１１は、ベッド本体側部から起立する少なくとも一対の支柱部１５ａ，１５ｂと、各支柱部における上端にそれぞれ設けられる取付ブラケット２３ａ，２３ｂと、取付ブラケット２３ａ，２３ｂを介して一対の支柱部１５ａ，１５ｂ間を連結する手摺り部２７と、前記取付部を覆う化粧カバー３１ａ，３１ｂと、を備える、構成を採用することができる。
【００２７】
このように構成すれば、一対の支柱部１５ａ，１５ｂに対して手摺り部２７を強固に取り付けることができる。また、各取付部には化粧カバー３１ａ，３１ｂが装着されるので、見映え（ボロ隠し）の観点、並びに要介護者の手指等を取付部におけるバリや突起部などから保護する観点に基づく好ましい手摺り部取付構造を提供することができる。
【００２８】
そして、本発明実施例に係るベッド側柵１１の手摺り部２７，３３には、見映え又は握り易さのうち少なくともいずれかの観点に基づく形態が施されている、構成を採用することができる。
【００２９】
このように構成すれば、見映え又は握り易さのうち少なくともいずれかの観点に基づく形態が施された手摺り部２７，３３に接した要介護者等の利用者は、例えば、手指の形状に合うグリップ形状の形態によって握り易いという機能面のみならず、例えば木目調やカラーバリエーションなどの、見映えに優れた手摺り部２７，３３の利益を享受することができる。従って、介護用ベッドに対する利用者の満足度向上に貢献することができる。
【００３０】
［その他］
本発明は、上述した実施例に限られるものではなく、請求の範囲及び明細書全体から読み取れる発明の要旨、あるいは技術思想に反しない範囲で適宜変更可能であり、そのような変更を伴うベッド側柵の手摺り部取付構造もまた、本発明における技術的範囲の射程に包含されるものである。
【００３１】
すなわち、本発明実施例の説明において、介護用ベッドを例示して説明したが、本発明はこうした例に限定されることなく、側柵を取り付け可能なあらゆる種類のベッドに適用することができることは言うまでもない。
【符号の説明】
【００３２】
１１  ベッド側柵
１３ａ，１３ｂ  一対の支持脚部
１５ａ，１５ｂ  一対の第１支柱部（一対の支柱部）
２３ａ，２３ｂ  一対の取付ブラケット
２７  第１手摺り部（手摺り部）
３１ａ，３１ｂ  化粧カバー
３３  第２手摺り部（手摺り部）
【図１】
2010246735.tif 000003
【図２】
2010246735.tif 000004